(57)【要約】【課題】  小スペースであっても容易に設置することができるとともに、壁面に対して棚板、鏡等を強固に設置することができる壁面用支持具を提供する。【解決手段】固定部材と、固定部材に掛止される支持部材と、両者を連結し固定する固定補助部材を備え、固定部材は、壁面に固定される壁面側基部と、支持部材と掛止する第１掛止部を有する壁面側上側基部と、固定補助部材を嵌合させる第１嵌合溝を下端面に有する壁面側下側基部とを備えてなり、支持部材は、取付部材を設置する基部と、壁面側上側基部の第１掛止部に上方から掛止する第２掛止部を有する上側基部と、固定補助部材を嵌合させる第２嵌合溝を上端面に有する下側基部とを備えてなり、固定補助部材は、第１嵌合溝及び第２嵌合溝に嵌合する嵌合体と、嵌合体の側面から突出し、壁面側下側基部と下側基部の少なくともいずれか一方に当接する把持部とを備えることを特徴とする壁面用支持具。【選択図】  図１
2014004070.tif 000002
【特許請求の範囲】
【請求項１】
壁面に対して水平方向に延びるように形成される固定部材と、
取付部材が設置されるとともに、前記固定部材に掛止される支持部材と、
前記固定部材と前記支持部材とを連結し固定する固定補助部材とを備える壁面用支持具であって、
前記固定部材は、前記壁面に固定される壁面側基部と、前記壁面側基部の上端であって、前記支持部材と掛止する第１掛止部を有する壁面側上側基部と、前記壁面側基部の下端であって、前記固定補助部材を嵌合させる第１嵌合溝を下端面に有する壁面側下側基部とを備えてなり、
前記支持部材は、前記取付部材を設置する基部と、前記基部の上端であって、前記壁面側上側基部の前記第１掛止部に上方から掛止する第２掛止部を有する上側基部と、前記基部の下端であって、前記固定補助部材を嵌合させる第２嵌合溝を上端面に有する下側基部とを備えてなり、
前記固定補助部材は、前記第１嵌合溝及び前記第２嵌合溝に嵌合する嵌合体と、前記嵌合体の側面から突出し、前記固定部材の前記壁面側下側基部と前記支持部材の前記下側基部の少なくともいずれか一方に当接する把持部とを備えることを特徴とする壁面用支持具。
【請求項２】
前記固定部材における前記壁面側下側基部と前記支持部材における前記基部の少なくともいずれか一方から突出する突部を有してなり、
前記固定部材と前記支持部材の連結固定状態において、
前記突部が前記基部と前記壁面側下側基部のいずれか一方と当接するか、又は前記突部同士が当接する請求項１に記載の壁面用支持具。
【請求項３】
前記固定部材と前記支持部材の連結固定状態において、
前記第１掛止部と前記第２掛止部の掛止箇所と、前記第１嵌合溝と前記第２嵌合溝の嵌合箇所とが同一鉛直線上に配置される請求項１又は請求項２に記載の壁面用支持具。
【請求項４】
前記取付部材より下方における前記支持部材の前記基部と前記支持部材の前記下側基部とを連結する補強部を備える請求項１から請求項３のいずれか１項に記載の壁面用支持具。
【請求項５】
前記固定部材における前記壁面側上側基部と前記壁面側下側基部との間は、開口部とされ、少なくとも前記開口部を覆うよう化粧板を備える請求項１から請求項４のいずれか１項に記載の壁面用支持具。
【発明の詳細な説明】
【技術分野】
【０００１】
本発明は、壁面に棚板、鏡等を取り付けて支持する壁面用支持具に関するものである。
【背景技術】
【０００２】
従来より、壁面に棚板を取り付けて支持する壁面用支持具が公知である。例えば、壁面に対して水平方向に延びるように長尺状に形成されるとともに、長手方向に延びる２つの挿嵌溝を有する係合型材と、棚板、及びこれを支持する棚受け用型材を有し、係合型材に取り付けられる棚体と、前記棚体の固定を補強するために、前記係合型材に取り付けられる固定補助具とを備え、棚体より下方の壁面と当該棚板の下面とを連結する補強部、及び上側の挿嵌溝に嵌合する第１挿嵌部を有する棚受け用型材と、下側の挿嵌溝に嵌合する第２挿嵌部と、当該第２挿嵌部に連結され補強部側へ延びる延設部とを有する固定補助具と、第１及び第２挿嵌部は、各挿嵌溝から水平方向に離脱不能で、挿嵌溝に沿ってスライド可能に構成されており、棚受け用型材の補強部は、延設部の下面の少なくとも一部に当接する当接片を備える壁面用支持具が公知である（特許文献１参照）。
【０００３】
これにより、棚板を跳ね上げる方向に力が作用した際には、延設部によって当接片の上方への移動が規制され、当該当接片は、棚受け用型材の一部であるので、棚板の跳ね上げを防止することができるものである。また、取付の際は、例えば、第１及び第２挿嵌部を係合型材の端部から挿嵌溝に挿入し、所定の位置までスライドさせればよく、取付を容易に行うことができるものである。
【先行技術文献】
【特許文献】
【０００４】
【特許文献１】特許第４８５７９６４号
【発明の概要】
【発明が解決しようとする課題】
【０００５】
しかしながら、上記構造では、第１及び第２挿嵌部を係合型材の端部から挿嵌溝に挿入して、棚体を所定の位置までスライドさせて設置することから、係合型材における長手方向の左右両端又はいずれか一方の端部の外側方向に棚体と略同寸法が必要なものである。
【０００６】
すなわち、設置しようとする壁面に対して、上記左右両端又は一方の端部が狭い場合においては、長尺状に形成される棚体の寸法を小さく設定しなければ、係合型材における長手方向の端部から挿入させることができないものである。その際、必要に応じて複数の棚体を挿入させなければならず、設置作業が煩雑な上、体裁も悪く美観を損ねるものであり、小スペースでの設置が困難なものであった。
【０００７】
そこで、本発明はこのような問題点を解決するものであって、小スペースであっても容易に設置することができるとともに、壁面に対して棚板、鏡等を強固に設置することができる壁面用支持具を提供することを課題とする。
【課題を解決するための手段】
【０００８】
前記問題点を解決するために、本発明の請求項１に記載の壁面用支持具は、壁面に対して水平方向に延びるように形成される固定部材と、取付部材が設置されるとともに、固定部材に掛止される支持部材と、固定部材と支持部材とを連結し固定する固定補助部材とを備え、固定部材は、壁面に固定される壁面側基部と、壁面側基部の上端であって、支持部材と掛止する第１掛止部を有する壁面側上側基部と、壁面側基部の下端であって、固定補助部材を嵌合させる第１嵌合溝を下端面に有する壁面側下側基部とを備えてなり、支持部材は、取付部材を設置する基部と、基部の上端であって、壁面側上側基部の第１掛止部に上方から掛止する第２掛止部を有する上側基部と、基部の下端であって、固定補助部材を嵌合させる第２嵌合溝を上端面に有する下側基部とを備えてなり、固定補助部材は、第１嵌合溝及び第２嵌合溝に嵌合する嵌合体と、嵌合体の側面から突出し、固定部材の壁面側下側基部と支持部材の下側基部の少なくともいずれか一方に当接する把持部とを備えるものである。
【０００９】
また、本発明の請求項２に記載の壁面用支持具は、請求項１に記載の壁面用支持具において、固定部材における壁面側下側基部と支持部材における基部の少なくともいずれか一方から突出する突部を有してなり、固定部材と支持部材の連結固定状態において、突部が基部と壁面側下側基部のいずれか一方と当接するか、又は突部同士が当接するものである。
【００１０】
また、本発明の請求項３に記載の壁面用支持具は、請求項１又は請求項２に記載の壁面用支持具において、固定部材と支持部材の連結固定状態において、第１掛止部と第２掛止部の掛止箇所と、第１嵌合溝と第２嵌合溝の嵌合箇所とが同一鉛直線上に配置されるものである。
【００１１】
また、本発明の請求項４に記載の壁面用支持具は、請求項１から請求項３のいずれか１項に記載の壁面用支持具において、取付部材より下方における支持部材の基部と支持部材の下側基部とを連結する補強部を備えるものである。
【００１２】
また、本発明の請求項５に記載の壁面用支持具は、請求項１から請求項４のいずれか１項に記載の壁面用支持具において、固定部材における壁面側上側基部と壁面側下側基部との間は、開口部とされ、少なくとも開口部を覆うよう化粧板を備えるものである。
【発明の効果】
【００１３】
本発明の壁面用支持具では、固定部材の第１掛止部に対して、上方から支持部材の第２掛止部を掛止させるだけでよいので、設置しようとする壁面に対して、固定部材の左右両端又は一方の端部が狭い場合、いわゆる小スペースであっても容易に設置することができる。
【００１４】
また、固定部材と支持部材との間に固定補助部材を嵌合する為、支持部材は鉛直方向及び前後方向においても揺動することなく、固定部材へ強固に設置された状態となる。
【００１５】
更に、固定部材における壁面側下側基部と支持部材における基部の少なくともいずれか一方から突出する突部を設けて、固定部材と支持部材の連結固定状態において、突部が基部と壁面側下側基部のいずれか一方と当接するか、又は突部同士が当接するので、取付部材等の荷重により掛止箇所を中心として作用するモーメントを当接箇所により他方へと分散させ、掛止箇所の耐久性を向上させることができる。
【図面の簡単な説明】
【００１６】
【図１】本発明の実施例１における壁面用支持具の斜視図である。
【図２】本発明の実施例１における壁面用支持具の分解斜視図である。
【図３】本発明の実施例１における壁面用支持具を壁面に設置した際の縦断面図である。
【図４】本発明の実施例１における壁面用支持具の固定部材の（ａ）斜視図、（ｂ）左側面図である。
【図５】本発明の実施例１における壁面用支持具の（ａ）支持部材及びカバー部材の斜視図、（ｂ）支持部材の左側面図である。
【図６】本発明の実施例１における壁面用支持具の固定補助部材の斜視図である。
【図７】本発明の実施例２における壁面用支持具の支持部材の（ａ）斜視図、（ｂ）左側面図である。
【図８】本発明の実施例２における壁面用支持具を壁面に設置した際の縦断面図である。
【図９】本発明の実施例３における壁面用支持具を壁面に設置した際の縦断面図である。
【図１０】本発明の実施例４における壁面用支持具を壁面に設置した際の縦断面図である。
【発明を実施するための形態】
【００１７】
以下、本発明の実施の形態における壁面用支持具を図面に基づいて説明する。当該壁面用支持具において、棚板、鏡等の取付部材が設置される側を当該支持具の前方とし、壁面側を当該支持具の後方とする。また、天井側を当該支持具の上方とし、床面側を当該支持具の下方とする。
【実施例１】
【００１８】
本発明に係る壁面用支持具１は、図１から図３に示すように、屋内の壁面Ｗに設けられ、棚板、鏡等の取付部材Ｔを設置するものである。壁面用支持具１は、固定部材２と、支持部材３と、固定補助部材４とから構成される。本実施例における取付部材Ｔは、棚板Ｔ１とする。
【００１９】
固定部材２は、長尺状に形成され、屋内の壁面Ｗに設置されるものである。固定部材は、図２から図４に示すように、上下端部に溝部を有して略コ字状に形成され、例えばアルミニウム等の金属で形成される。具体的には、壁面Ｗに固定される鉛直方向に延びる壁面側基部２０と、壁面側基部２０の上端から前方へ突出される壁面側上端基部２１と、壁面側基部２０の下端から前方へ突出される壁面側下端基部２２とから構成され、前方側に開口部２３を有する。
【００２０】
壁面側上端基部２１には、上端面から鉛直下方へ向けて掛止溝２１ａが設けられており、掛止溝２１ａを介して、壁面側上端基部２１の前方側は前方掛止部２１ｂとされ、後方側は後方掛止部２１ｃとされる。また、前方掛止部２１ｂ側における掛止溝２１ａには、後述する支持部材３の掛止部３１ａを掛止させ易いように、テーパ面２１ｄが設けられる。ここで、掛止溝２１ａは第１掛止部とされる。
【００２１】
一方、壁面側下端基部２２には、下端面から上方へ向けて第１嵌合溝２２ａが設けられる。第１嵌合溝２２ａは、例えば略Ｃ字状に形成され、後述する固定補助部材４における嵌合体４０の上端部を嵌合させるものである。第１嵌合溝２２ａの形状は、略Ｃ字状に限られることなく、略四角形状、楔形状等であってもよいものである。
【００２２】
また、固定部材２の開口部２３においては、壁面側上端基部２１における下端面から下方へ向けて前方突出部２４が突出され、所定の間隙を有した後方には同様にして後方突出部２５が突出される。一方、壁面側下端基部２２における上端面から上方へ向けては、夫々対応するようにして前方突出部２４が突出され、所定の間隙を有した後方には後方突出部２５が突出される。前方突出部２４は、意匠性を向上させる為、壁面側上端基部２１及び壁面側下端基部２２における前方端面に沿うようにして設けることが望ましい。
【００２３】
更に、前方突出部２４と後方突出部２５の間隙は、少なくとも開口部２３を覆う化粧板５を挿通させる挿通部２３ａとされる。更に、後方突出部２５の後方側は、固定部材２を壁面Ｗへ固定する為のネジＳの頭部を収容する間隙２３ｂとされる。
【００２４】
支持部材３は、長尺状に形成され、棚板Ｔ１を設置した状態で壁面Ｗに固定される固定部材２に掛止されるものである。支持部材３は、図２、図３及び図５に示すように、固定部材２を覆設するよう略コ字状に形成され、例えばアルミニウム等の金属で形成される。具体的には、主に鉛直方向に延びる基部３０と、基部３０の上端から後方へ突出される上端基部３１と、基部３０の下端から後方へ突出される下端基部３２と、後方側に開口部３３を有する。
【００２５】
上端基部３１には、下端面から鉛直下方へ向けて掛止部３１ａが突出される。基部３０側における掛止部３１ａには、掛止溝２１ａのテーパ面２１ｄに対応するテーパ面３１ｂが設けられる。ここで、掛止部３１ａは第２掛止部とされる。
【００２６】
一方、下端基部３２には、上端面から下方へ向けて第１嵌合溝２２ａに対応する第２嵌合溝３２ａが設けられる。第２嵌合溝３２ａは、例えば略Ｃ字状に形成され、後述する固定補助部材４における嵌合体４０の下端部を嵌合させるものである。第１嵌合溝２２ａと同様にして、当該形状が制限されるものではない。
【００２７】
また、基部３０の下端側には、後方へ向けて突出する突部３０ａが設けられる。突部３０ａは、固定部材２に支持部材３が掛止した状態において、壁面側下側基部２２と当接するものである。これにより、棚板Ｔ１及び棚板Ｔ１上に載置される物品の荷重により掛止箇所を中心として作用するモーメントを壁面側下側基部２２に当接させることにより固定部材２側へ分散させ、掛止箇所の耐久性を向上させるものである。また、突部３０ａは、長尺状であってもよいし、間隔を有して複数個が配設されるものであってもよいものである。一方、上端側における基部３０と掛止部３１ａとの間は、固定部材２に支持部材３が掛止した状態において、棚板Ｔ１を支持部材３へ固着させる為のネジＳの頭部を収容する収容空間３３ａとされる。
【００２８】
また、上側基部３１と同一平面となるようにして基部３０から前方へは、上側支持部３４が突出して設けられる。更に、上側支持部３４の下端側には、前方へ向けて突出する下側支持部３５が設けられ、上側支持部３４との間に棚板Ｔ１が挿入される。基部３０には、上側支持部３４と下側支持部３５との間にネジ孔（図示しない）が形成されており、ネジ孔に挿通されたネジＳにより棚板Ｔ１が支持部材３に固着される。
【００２９】
更に、下側支持部３５の前方端部からは、壁面Ｗに向けて斜め下方に延設される傾斜部３６が設けられ、傾斜部３６の下端部には上方に向けて下側基部３２と連結する連結部３７が設けられる。また、下側支持部３５から傾斜部３６に向けて、補強の為のリブ３８が設けられる。このようにして、棚板Ｔ１の下方には、下側支持部３５、傾斜部３６及び連結部３７が略直角三角形を形成しており、補強部を構成する。また、補強部の内側面には、合成樹脂等で形成されピン６０を有するカバー部材６を装着する為のカバー装着溝３９が設けられる。カバー部材６は、支持部材３における側面視の意匠性を向上させる為に設けられる。
【００３０】
固定補助部材４は、固定部材２に掛止される支持部材３を当該掛止状態にて連結し固定するものである。固定補助部材４は、図１から図３及び図６に示すように、嵌合体４０と把持部４１とから構成され、例えば合成樹脂等で形成される。具体的には、嵌合体４０の上下端面に第１嵌合溝２２ａ、第２嵌合溝３２ａと嵌合し得る略円弧形状を有して、短形板状に形成される。また、嵌合体４０の両側面から外側方向へ突出するようにして断面略コ字状の把持部４１が設けられる。
【００３１】
嵌合体４０は、上下端面に第１嵌合溝２２ａ、第２嵌合溝３２ａと嵌合し得る形状を有していればよい趣旨で、短形板状に限られず、波形状、段部を有する形状等、種々の形状であってもよいものである。また、把持部４１は、固定部材２の壁面側下側基部２２、支持部材３の下側基部３２の少なくともいずれか一方に当接し得る形状を有していればよい趣旨で、断面略コ字状に限られず、種々の形状であってもよいものである。把持部４１は、上記のように当接させることで、位置決めの効果を奏する。
【００３２】
このようにして構成される壁面用支持具１は、図１から図３に示すように、次のようにして取り付けられる。まず、第１掛止部となる掛止溝２１ａが上方となるよう固定部材２を壁面Ｗに対して配置させ、固定部材２の間隙２３ｂから壁面側基部２０のネジ孔（図示しない）にネジＳを挿入して、ネジＳにより固定部材２を壁面Ｗに固定する。
【００３３】
そして、固定部材２の挿通部２３ａに化粧板５を設けて、開口部２３を閉塞する。これにより、固定部材２の開口部２３からネジＳの頭部が露呈するのを防止することができる。また、外観上、固定部材２の前方端面を可能な範囲で平坦にすることができる。化粧板５は、固定部材２と同等寸法の略短形状に形成され、例えば合成樹脂、或いはアルミニウム等の金属で形成される。化粧板５を合成樹脂で形成した場合には、取付部材Ｔの配色によって、化粧板５の色彩を適宜変更して、意匠性に優れたものとすることができる。また、固定部材２との配色において、ツートンカラー等とすることもできる。
【００３４】
次に、固定部材２の掛止溝２１ａ（第１掛止部）に対して、上方から支持部材３の掛止部３１ａ（第２掛止部）を掛止させた状態とし、支持部材３の突部３０ａを固定部材２の壁面側下側基部２２に当接させる。このとき、支持部材３の収容空間３３ａが十分確保されているので、固定部材２の前方掛止部２１ｂと棚板Ｔ１を固着するネジＳの頭部が当接することはない。また、固定部材２の第１嵌合溝２２ａと支持部材３の第２嵌合溝３２ａとが同一鉛直線上に配置された状態となる。
【００３５】
そして、固定部材２及び支持部材３の側面から当該溝２２ａ、３２ａに嵌合体４０を嵌合させるとともに、把持部４１を固定部材２、支持部材３の少なくともいずれか一方に当接させ、固定補助部材４により固定部材２と支持部材３とを連結固定する。このとき、固定部材２の掛止溝２１ａと支持部材３の掛止部３１ａの掛止状態における掛止箇所と、第１嵌合溝２２ａと第２嵌合溝３２ａの嵌合箇所とが同一鉛直線上に配置される。これにより、壁面用支持具１全体として負荷に対し均衡が図られた構造とすることができ、結果として、壁面用支持具１への鉛直方向及び前後方向の負荷に対しても、掛止箇所、嵌合箇所において耐久性に優れたものとなる。
【００３６】
以上、説明した本発明に係る壁面用支持具１によれば、固定部材２の掛止溝２１ａに対して、上方から支持部材３の掛止部３１ａを掛止させるだけでよいので、設置しようとする壁面Ｗに対して、固定部材２の左右両端又は一方の端部が狭い場合、いわゆる小スペースであっても容易に設置することができる。また、固定部材２と支持部材３との間には固定補助部材４を嵌合するとともに、支持部材３の突部３０ａが固定部材２の壁面側下側基部２２と当接するので、支持部材３は鉛直方向及び前後方向においても揺動することなく、固定部材２へ強固に設置された状態とすることができる。
【実施例２】
【００３７】
本発明に係る壁面用支持具１の実施例２について、図７及び図８に基づいて説明する。本実施例２における壁面用支持具１ａは、実施例１における構造と略同様であるが、支持部材３ａの形状が実施例１と相違するものである。
【００３８】
実施例２における支持部材３ａは、図７及び図８に示すように、実施例１における支持部材３の基部３０より前方側に設けられる上側支持部３４、下側支持部３５及び傾斜部３６、基部３０の下方における連結部３７を有しない構造としたものである。その他の構造は、同様であるので説明を省略する。これにより、実施例１における棚板Ｔ１と置換して、鏡Ｔ２等の鉛直方向に延びる取付部材Ｔを設置することができる。
【実施例３】
【００３９】
本発明に係る壁面用支持具１の実施例３について、図９に基づいて説明する。本実施例３における壁面用支持具１ｂは、実施例１及び実施例２における構造と略同様であるが、支持部材３、３ａにおける突部３０ａが固定部材２に設けられる点で実施例１及び実施例２と相違するものである。
【００４０】
実施例３においては、図９に示すように、支持部材３ｂに突部を設けず、固定部材２ａにおける壁面側下側基部２２に前方端面より前方へ突出する突部２２ｂを有する構造としたものである。その他の構造は、同様であるので説明を省略する。これにより、実施例１及び実施例２における壁面用支持具１、１ａと同様にして、固定部材２ａと支持部材３ｂの掛止状態において、固定部材２ａの突部２２ｂと支持部材３ｂの基部３０を当接させることができる。
【００４１】
また、図９においては、棚板Ｔ１を設置する支持部材３ｂとしたが、鏡Ｔ２等を設置するよう、実施例２と同様にして基部３０より前方側に設けられる上側支持部３４、下側支持部３５及び傾斜部３６、基部３０の下方における連結部３７を有しない構造としてもよいのは勿論である。更に、支持部材及び固定部材の夫々に突部を設け、固定部材と支持部材の掛止状態において、夫々の突部同士を当接させることもできる。
【実施例４】
【００４２】
本発明に係る壁面用支持具１の実施例４について、図１０に基づいて説明する。本実施例４における壁面用支持具１ｃは、実施例１から実施例３における構造と略同様であるが、固定部材と支持部材の掛止状態が実施例１から実施例３と相違するものである。
【００４３】
実施例４においては、図１０に示すように、固定部材２ｂに第１掛止部となる掛止部２１ｅを設け、支持部材３ｃに第２掛止部となる掛止溝３１ｅを設ける。具体的には、固定部材２ｂにおける壁面側上側基部２１の上端面から鉛直上方へ掛止部２１ｅを突出させてなる。また、掛止部２１ｅにおける上端部には、支持部材３ｃの掛止溝３１ｅを掛止させ易いように、テーパ面２１ｆが設けられる。
【００４４】
一方、支持部材３ｃにおける上側基部３１の下端面から鉛直下方へ向けて、前方掛止部３１ｃ及び後方掛止部３１ｄが突出される。前方掛止部３１ｃと後方掛止部３１ｄの間には、掛止溝３１ｅが設けられる。また、後方掛止部３１ｄ側における掛止溝３１ｅには、固定部材２ｂの掛止部２１ｅと対応するテーパ面３１ｆが設けられる。その他の構造は、同様であるので説明を省略する。これにより、実施例１から実施例３における壁面用支持具１、１ａ、１ｂと同様にして、固定部材２ｂと支持部材３ｃを掛止させることができる。このとき、壁面Ｗが傷つくのを防止する為、支持部材３ｃにおける後方掛止部３１ｄと壁面Ｗとが当接しないようにして設けることが望ましい。
【００４５】
当該発明は、上述の実施形態の構成に限定されるものではなく、固定部材、支持部材及び固定補助部材の形状、寸法、材質等を適宜変更して実施することが可能である。また、一部構成を省略することができるし、一部抽出した構成とすることができるのは勿論である。
【符号の説明】
【００４６】
１、１ａ、１ｂ、１ｃ  壁面用支持具
２、２ａ、２ｂ  固定部材
２０    壁面側基部
２１    壁面側上側基部
２２    壁面側下側基部
２２ａ  第１嵌合溝
２３    開口部
３、３ａ、３ｂ、３ｃ  支持部材
３０    基部
３０ａ  突部
３１    上側基部
３２    下側基部
３２ａ  第２嵌合溝
４      固定補助部材
４０    嵌合体
４１    把持部
５      化粧板
Ｔ      取付部材
【図１】
2014004070.tif 000003
【図２】
2014004070.tif 000004
【図３】
2014004070.tif 000005
【図４】
2014004070.tif 000006
【図５】
2014004070.tif 000007
【図６】
2014004070.tif 000008
【図７】
2014004070.tif 000009
【図８】
2014004070.tif 000010
【図９】
2014004070.tif 000011
【図１０】
2014004070.tif 000012